(57)【要約】【課題】ノベリティ用品として用い得る安価な材料と簡単な構成で、単純な形状であり、広告等の印刷スペースが充分に確保でき、トイレットペーパー等が破断されにくく、堅固な枢着構成を必要とする回転棒を含まず、ロール紙が函の内面に触れない衛生的な構成のロール紙用函を開発する。【解決手段】トイレットペーパーやキッチンペーパーを収納する厚紙製の円筒形状の函であり、左側板と右側板の中心に１５ｍｍ〜２９ｍｍの直径の円孔を有し、該円孔の上端部分に５〜１２ｍｍの長さの溝部があり、繰出し口が本体の外周の６分の１から４分の１の延長を有するロール紙用函を提供する。【選択図】        図１
0003123158.tif 000002
【実用新案登録請求の範囲】
【請求項１】
ロール状のトイレットペーパーを収納する厚紙製の函であって、正面視が長方形状の厚紙を縦方向に湾曲させ水平方向に平行する２辺を接合して円筒形状となした本体の両側面を厚紙製の円形状の左側板及び厚紙製の円形状の右側板にて閉塞して内部に円筒形状の空間を形成し、円筒形状の本体の底面部分から正面部分、あるいは底面部分から背面部分にかけてミシン目が設けられ開口可能であるトイレットペーパーの繰出し口を有し、正面視にて横幅が１１６ｍｍ〜１３６ｍｍの範囲内であり、正面視にて高さが１１３ｍｍ〜１３０ｍｍの範囲内であり、円形状の左側板と円形状の右側板の夫々中心に１５ｍｍ〜２９ｍｍの範囲内の直径の円孔を有し、該円孔の上端部分に５ｍｍ〜１２ｍｍの範囲内の長さの溝部が設けられていることを特徴とするロール紙用函。
【請求項２】
トイレットペーパーの繰出し口が、円筒形状の本体の外周の６分の１から４分の１の外周方向の延長を有し、該繰出し口がミシン目によって２部分以上に分割されて開口される構成で、該繰出し口を被覆していた本体の一部である開口片のうち少なくとも上部に位置する上部開口片が開口後も本体部分から完全に分離されることなく一端が本体に連接された状態で残留し、上部開口片と本体の連接部分はミシン目を有する場合にも該ミシン目のピッチが１０ｍｍ〜２０ｍｍの範囲内のごく荒いものであることを特徴とする請求項１に記載のロール紙用函。
【請求項３】
ロール状のキッチンペーパーを収納する厚紙製の函であって、正面視が長方形状の厚紙を縦方向に湾曲させ水平方向に平行する２辺を接合して円筒形状となした本体の両側面を厚紙製の円形状の左側板及び厚紙製の円形状の右側板にて閉塞して内部に円筒形状の空間を形成し、円筒形状の本体の底面部分から正面部分、あるいは底面部分から背面部分にかけてミシン目が設けられ開口可能であるキッチンペーパーの繰出し口を有し、正面視にて横幅が１９６ｍｍ〜３００ｍｍの範囲内であり、正面視にて高さが１１８ｍｍ〜１６０ｍｍの範囲内であり、円形状の左側板と円形状の右側板の夫々中心に１５ｍｍ〜２９ｍｍの範囲内の直径の円孔を有し、該円孔の上端部分に５ｍｍ〜１２ｍｍの範囲内の長さの溝部が設けられていることを特徴とするロール紙用函。
【請求項４】
キッチンペーパーの繰出し口が、円筒形状の本体の外周の６分の１から４分の１の外周方向の延長を有し、該繰出し口がミシン目によって２部分以上に分割されて開口される構成で、該繰出し口を被覆していた本体の一部である開口片のうち少なくとも上部に位置する上部開口片が開口後も本体部分から完全に分離されることなく一端が本体に連接された状態で残留し、上部開口片と本体の連接部分はミシン目を有する場合にも該ミシン目のピッチが１０ｍｍ〜２０ｍｍの範囲内のごく荒いものであることを特徴とする請求項３に記載のロール紙用函。
【考案の詳細な説明】
【技術分野】
【０００１】
本考案は、主としてノベリティ用品として用いられることを前提として考案されたロール紙用函に関するものであり、さらに詳しくは、以下に示す構成のロール紙用函に関するものである。なお、ここに用いているロール紙とは、ロール状のトイレットペーパーあるいはロール状のキッチンペーパーのことを意味するものである。
＜構成１＞
ロール状のトイレットペーパーを収納する厚紙製の函であって、正面視が長方形状の厚紙を縦方向に湾曲させ水平方向に平行する２辺を接合して円筒形状となした本体の両側面を厚紙製の円形状の左側板及び厚紙製の円形状の右側板にて閉塞して内部に円筒形状の空間を形成し、円筒形状の本体の底面部分から正面部分、あるいは底面部分から背面部分にかけてミシン目が設けられ開口可能であるトイレットペーパーの繰出し口を有し、正面視にて横幅が１１６ｍｍ〜１３６ｍｍの範囲内であり、正面視にて高さが１１３ｍｍ〜１３０ｍｍの範囲内であり、円形状の左側板と円形状の右側板の夫々中心に１５ｍｍ〜２９ｍｍの範囲内の直径の円孔を有し、該円孔の上端部分に５ｍｍ〜１２ｍｍの範囲内の長さの溝部が設けられていることを特徴とするロール紙用函。
＜構成２＞
トイレットペーパーの繰出し口が、円筒形状の本体の外周の６分の１から４分の１の外周方向の延長を有し、該繰出し口がミシン目によって２部分以上に分割されて開口される構成で、該繰出し口を被覆していた本体の一部である開口片のうち少なくとも上部に位置する上部開口片が開口後も本体部分から完全に分離されることなく一端が本体に連接された状態で残留し、上部開口片と本体の連接部分はミシン目を有する場合にも該ミシン目のピッチが１０ｍｍ〜２０ｍｍの範囲内のごく荒いものであることを特徴とする構成１に記載のロール紙用函。
＜構成３＞
ロール状のキッチンペーパーを収納する厚紙製の函であって、正面視が長方形状の厚紙を縦方向に湾曲させ水平方向に平行する２辺を接合して円筒形状となした本体の両側面を厚紙製の円形状の左側板及び厚紙製の円形状の右側板にて閉塞して内部に円筒形状の空間を形成し、円筒形状の本体の底面部分から正面部分、あるいは底面部分から背面部分にかけてミシン目が設けられ開口可能であるキッチンペーパーの繰出し口を有し、正面視にて横幅が１９６ｍｍ〜３００ｍｍの範囲内であり、正面視にて高さが１１８ｍｍ〜１６０ｍｍの範囲内であり、円形状の左側板と円形状の右側板の夫々中心に１５ｍｍ〜２９ｍｍの範囲内の直径の円孔を有し、該円孔の上端部分に５ｍｍ〜１２ｍｍの範囲内の長さの溝部が設けられていることを特徴とするロール紙用函。
＜構成４＞
キッチンペーパーの繰出し口が、円筒形状の本体の外周の６分の１から４分の１の外周方向の延長を有し、該繰出し口がミシン目によって２部分以上に分割されて開口される構成で、該繰出し口を被覆していた本体の一部である開口片のうち少なくとも上部に位置する上部開口片が開口後も本体部分から完全に分離されることなく一端が本体に連接された状態で残留し、上部開口片と本体の連接部分はミシン目を有する場合にも該ミシン目のピッチが１０ｍｍ〜２０ｍｍの範囲内のごく荒いものであることを特徴とする構成３に記載のロール紙用函。
【背景技術】
【０００２】
本考案は、ロール状のトイレットペーパーあるいはキッチンペーパーを対象として、これらのロール紙を簡単に収納でき、かつ使い勝手の良いロール紙用函を開発することを目的としてなされたものであり、且つ、店舗や施設が顧客等に無料で配布するノベリティ用品としての用途を主眼として開発されたものである。
【０００３】
従来、トイレットペーパーはその名のとおりトイレにて、またキッチンペーパーはキッチンにて用いられるのがその主たる用途であり、それぞれに各種各様の専用ホルダーが開発されている。しかしながら、トイレットペーパーやキッチンペーパーは、その材質が本来多用途に向くものであり、かつ安価であるところから、トイレやキッチン以外の場所にても充分に用いることができるものである。例えば、居間や寝室においても、ちょっとした汚れの拭き取りやあるいはナプキン代わり等に便利であるし、自動車の車内で用いることも無論可能である。さらには、旅行や外出時に携帯することも不可能ではない。
【０００４】
このように、トイレットペーパーやキッチンペーパーは、材質や価格からすれば本来多用途に向くものでありながら、現実には、トイレットペーパーはトイレ専用であり、キッチンペーパーはキッチン専用であるという認識が一般的となっている。この原因の主たるものとしては、トイレットペーパーにおいてもキッチンペーパーにおいても、それらを収容してトイレやキッチン以外の所で快適に用いることのできるホルダーが開発されていないということが挙げられる。
【０００５】
確かに、居間や寝室に、むき出しの形でトイレットペーパーやキッチンペーパーが置かれていては、美観上も良くないし、使い勝手も悪く、また紙の面が直接机や床等に触れると衛生上も問題は多い。かといって、トイレやキッチンでそのようにしているように、壁面にトイレットペーパーやキッチンペーパーのホルダーを螺着や接着等の固着手段によって装着して使用するのも大きな違和感があり、且つ、壁面に固着してしまっては、常に部屋の中の一定の場所でしか使えないということになってしまう。また、自動車の中等では、ホルダーを固定できる壁面というものが存在しない。
【０００６】
このような理由から、トイレットペーパーはトイレにて、キッチンペーパーはキッチンにて、それぞれ専用のホルダーを壁面に固着して用いるというスタイルのみが定着しているものと思われる。しかしながら、やはり、トイレットペーパーやキッチンペーパーのようなロール紙をトイレやキッチン以外の場所でも使えるようにしたいという思いは普遍的に存在するもののようであって、従来技術として、そのような目的を達成するためになされた発明・考案がいくつか散見される。それらのうちから、ここでは、以下に示す特許文献１、２を取り上げて従来技術として紹介することとした。
【０００７】
以下に示す特許文献１、２を取り上げた理由は、本考案は、前述のように、ノベリティ用品としての開発を主眼としている点にある。すなわち、ノベリティ用品というものは、通常、顧客等に無料で配布されるものであるため、できるだけ簡単な構成で、製造費用も安価で、かつ店舗等の広告が良好な状態で印刷できる材質が必要で、広告等のための充分な面的スペースが確保されるということが要求される。また、組み立て方法が難しかったり、メンテナンスに手間を要するようなものも不適である。この点、以下に示す特許文献１、２の発明・考案はいずれも紙を用いて構成可能で製造費用も安価であると考えられ、広告のスペースも充分確保できる等、ノベリティ用品としての最低限度の条件はクリアしていると思われる点から、本考案の従来技術として選択したものである。
【０００８】
下記特許文献１に記載の「ロールペーパー用ケース」は、ケースの内側を内板で丸く覆い、かつ取り出し口の上下に丸くゆとりを持たせた構成で、ロール紙の芯の部分を挿通する回転棒を用いず、曲面状の内板内でロール紙を回転させるという点にその特色がある。また、ケースの外側は方形状であるため、据え置き用として用いることができ、且つ、ケース上面の吊り下げ用金具を用いて吊り下げて使用することもできるとされている。
【０００９】
確かに、トイレットペーパーやキッチンペーパーのホルダーにおいて通常用いられる、ロール紙の芯の部分を挿通する回転棒を用いないという点は、ノベリティ用品としては多くの利点を齎すものである。というのは、回転棒を用いるホルダーは、回転棒を回転させるための構成が必要となるので、通常紙等にて構成することは困難であり、木や金属やプラスチック等の堅固な材質による枢着構成がどうしても必要となるが、回転棒を用いずに、ケース内で直接ロール紙を回転させるという構成にするなら、堅固な枢着構成は不要で、厚紙程度で組み立てられる構成で充分となるからである。
【００１０】
しかしながら、特許文献１の発明の短所も、また、ケース内で直接ロール紙を回転させるという構成に存することは明白である。というのは、特許文献１の発明においては、内板の素材を「弾力性が有り、表面は円滑性が有る物」としているが、紙製とした場合には、コーティングで円滑性を持たせ得るにしても限界はあり、プラスチックのような素材を使用せざるをえなくなるのではないかと思われるからであり、さらに、ロール紙が使用されはじめた当初の状態にては、その自重にて、果たして円滑な回転運動が可能であるかどうかは甚だ疑問視される。
【００１１】
また、ロール紙自体が取り出し口より逸脱することを防ぐために、取り出し口を覆う蓋（２）を用いるとあるが、この構成ではロール紙の端末を下方に引くことによりロール紙がケース内で蓋（２）の内側に強く押し付けられることになるため、ここでも摩擦が発生する。キッチンペーパーの場合はまだしも、トイレットペーパーは極めて柔軟で薄い用紙にて作られているので、端末を下方に引くとロール紙が内板と蓋（２）に強く押し付けられ、その摩擦力で円滑な回転が妨げられ、トイレットペーパーはその部位にて破断されてしまう可能性が極めて高いと考えざるをえない。
【００１２】
さらに、特許文献１の発明においては、ロール紙の表面が常に内板の表面に接した状態であるという点において、衛生上の問題も生じることは免れない。特許文献１においては、「本ロールペーパーケースはロールペーパー（７）全体を包み込むので埃や汚れが着かなくて衛生的である」とあるが、ロール紙が直接接する内板に埃や汚れが着かないという保証はなく、むしろ使用を重ねるに従い、内部構成にも埃が溜まって汚れてくるのは当然のことであるので、その内部構成に常に接触した状態であるロール紙に衛生上の問題が生じると考える方が自然であろう。
【００１３】
下記特許文献２に記載の考案においても、また同様の問題が生じるのは明白である。すなわち、下記特許文献２の「ロール状トイレットペーパー折りたたみ包装容器」もまた回転棒を用いず、ケース内で、ケースの内側にロール紙の表面が接する形でロール紙を回転させるという構成であるため、下記特許文献１と同様の問題、すなわち、回転が円滑に行われず、トイレットペーパーのような脆弱なロール紙は引き出し途中で切れてしまうという問題と、ロール紙の表面がケース内に接触しているという点から生ずる衛生上の問題を回避することはできない。加えて、下記特許文献２に記載の考案においては、取り出し口の構成がＶ字状となっているため、引き出し途中で、この部分にトイレットペーパーの表面が引っかかるとその部位で簡単に破断されてしまう可能性が高い。トイレットペーパーは、先述のように極めて薄く脆弱な紙質であり、加えて表面に繊維が毛羽立つように作られているので、その通過面上に厚紙の端部があると、そこに引っかかって簡単に切れてしまう。
【００１４】
また、下記特許文献２の考案をノベリティ用途として考えた場合には、その構成がやや複雑であるという点にも難があるとせねばならない。すなわち、組み立て構成がやや複雑であり、その点が、ノベリティ用品としては用いにくいと考えねばならない。ノベリティ用品は、通常無料で配布されるものであるので、配布を受けた人は、組み立て構成がやや難しいと感じれば、使用に至ることなく即座に廃棄処分とする傾向が強い。有償で購入したものであれば説明図を見ながら組み立てて使用するものであっても、無償で手に入るノベリティ用品にはそこまで手間を掛ける人は少ないので、構成が若干複雑なだけでも貰った人は使用せずに捨ててしまう傾向が顕著である。したがって、下記特許文献２の考案の構成は、ノベリティ用品としては、この点で適性を欠くものであるといわねばならない。
【００１５】
さらに、ノベリティ用品として用いづらい点として、下記特許文献１、２に共通する次の問題点が挙げられる。ノベリティ用品は、通常、配布元の広告等が刷り込まれた状態で配布元に納品され、配布元が顧客に配布するときまで配布元にストックされるものである。この際、下記特許文献１、２のような構成では、ストック期間中に内部に埃が入るのは避けられない。そこで、全体を透明ビニール袋等で被覆密閉してストックせねばならないが、そうすると、透明ビニール袋等で被覆密閉するための余分な手間とコストがかかってしまうという問題である。
【００１６】
あるいは、特許文献２の考案の場合には組み立て前の平板状態にてストックしておくということも考えられるが、そうすると前記のように貰った人が組み立てなければならないという問題が生じるし、さらに、組み立て前の平板状態が凹凸が激しく、折線も入れられているので、取り扱いに注意を要する。全体をビニール袋に入れれば安定するが、その場合には特許文献１の発明と同様の問題が生じざるを得ない。要するに、ノベリティ用品としてストックしておく問題を考えると、全体が単純な形状で、しかもビニール袋等を用いずとも略密封された状態で顧客に配布できるような構成であるのが好ましい。
【特許文献１】特開２００５‐３１２７４４号公報
【特許文献２】実開平５‐３４１７８号公報
【考案の開示】
【考案が解決しようとする課題】
【００１７】
叙上より、本考案の解決すべき課題を次のように設定した。
＜課題１＞
本考案のロール紙用函は、ノベリティ用品としての用途を主体として用いられるものであるので、できるだけ安価な材料と簡単な構成で、もらった人がわざわざ組み立てる必要のないものとしたい。
＜課題２＞
やはりノベリティ用品としての用途を主体として用いられるものであるという点から、全体が単純な形状であり、しかもビニール袋等を用いずともそれ自体が略密封された状態で、顧客に簡単に配布できるような構成であるのが望ましい。
＜課題３＞
やはりノベリティ用品としての用途を主体として用いられるものであるという点から、配布元の広告等が印刷可能な面的なスペースが充分に確保できる構成であり、また鮮明な印刷が安価で可能であるような素材が用いられていることが望まれる。
＜課題４＞
ロール紙、特にトイレットペーパーは、厚紙の端部に一寸引っ掛かっただけでも破断されてしまうような脆弱な材質からなり、しかも表面がケバ立っているので厚紙の端部などに引っ掛かりやすい。したがって、このような事態を回避できる構成上の配慮が必要である。
＜課題５＞
構成中にロール紙を回転させるための回転棒が含まれると、どうしても木材や金属や硬質樹脂等による堅固な枢着構成を採用せざるを得なくなるので、回転棒は含まない構成としたい。
＜課題６＞
ただし、ロール紙が函の内面に直接触れながら回転する構成であると、摩擦により円滑な回転が妨げられるし、また衛生上の問題も発生する。したがって、ロール紙は、使用開始から使用終了に至るまで、函の内面に接触しないような構成とする必要がある。
【課題を解決するための手段】
【００１８】
本考案は、上記課題を解決するためになされたものであって、下記の解決手段を提供するものである。
＜解決手段１＞
ロール状のトイレットペーパーを収納する厚紙製の函であって、正面視が長方形状の厚紙を縦方向に湾曲させ水平方向に平行する２辺を接合して円筒形状となした本体の両側面を厚紙製の円形状の左側板及び厚紙製の円形状の右側板にて閉塞して内部に円筒形状の空間を形成し、円筒形状の本体の底面部分から正面部分、あるいは底面部分から背面部分にかけてミシン目が設けられ開口可能であるトイレットペーパーの繰出し口を有し、正面視にて横幅が１１６ｍｍ〜１３６ｍｍの範囲内であり、正面視にて高さが１１３ｍｍ〜１３０ｍｍの範囲内であり、円形状の左側板と円形状の右側板の夫々中心に１５ｍｍ〜２９ｍｍの範囲内の直径の円孔を有し、該円孔の上端部分に５ｍｍ〜１２ｍｍの範囲内の長さの溝部が設けられていることを特徴とするロール紙用函。
＜解決手段２＞
トイレットペーパーの繰出し口が、円筒形状の本体の外周の６分の１から４分の１の外周方向の延長を有し、該繰出し口がミシン目によって２部分以上に分割されて開口される構成で、該繰出し口を被覆していた本体の一部である開口片のうち少なくとも上部に位置する上部開口片が開口後も本体部分から完全に分離されることなく一端が本体に連接された状態で残留し、上部開口片と本体の連接部分はミシン目を有する場合にも該ミシン目のピッチが１０ｍｍ〜２０ｍｍの範囲内のごく荒いものであることを特徴とする解決手段１に記載のロール紙用函。
＜解決手段３＞
ロール状のキッチンペーパーを収納する厚紙製の函であって、正面視が長方形状の厚紙を縦方向に湾曲させ水平方向に平行する２辺を接合して円筒形状となした本体の両側面を厚紙製の円形状の左側板及び厚紙製の円形状の右側板にて閉塞して内部に円筒形状の空間を形成し、円筒形状の本体の底面部分から正面部分、あるいは底面部分から背面部分にかけてミシン目が設けられ開口可能であるキッチンペーパーの繰出し口を有し、正面視にて横幅が１９６ｍｍ〜３００ｍｍの範囲内であり、正面視にて高さが１１８ｍｍ〜１６０ｍｍの範囲内であり、円形状の左側板と円形状の右側板の夫々中心に１５ｍｍ〜２９ｍｍの範囲内の直径の円孔を有し、該円孔の上端部分に５ｍｍ〜１２ｍｍの範囲内の長さの溝部が設けられていることを特徴とするロール紙用函。
＜解決手段４＞
キッチンペーパーの繰出し口が、円筒形状の本体の外周の６分の１から４分の１の外周方向の延長を有し、該繰出し口がミシン目によって２部分以上に分割されて開口される構成で、該繰出し口を被覆していた本体の一部である開口片のうち少なくとも上部に位置する上部開口片が開口後も本体部分から完全に分離されることなく一端が本体に連接された状態で残留し、上部開口片と本体の連接部分はミシン目を有する場合にも該ミシン目のピッチが１０ｍｍ〜２０ｍｍの範囲内のごく荒いものであることを特徴とする解決手段３に記載のロール紙用函。
【考案の効果】
【００１９】
本考案の解決手段１あるいは３の考案によれば、全体が厚紙製であるので、上記課題１の「安価な材料」という点が満足されており、この点において、ノベリティ用品としてふさわしいものとなっている。また、厚紙製という点から印刷適性に優れており、上記課題３の「鮮明な印刷が安価で可能」という要請が満足される。
【００２０】
本考案の解決手段１あるいは３の考案によれば、全体が単純な円筒形状であるので、上記課題１の「全体が単純な形状」という要請を満足しており、ノベリティ用品としてふさわしいものである。また、繰出し口がミシン目によって開封されるという構成であるので、上記課題１の「もらった人がわざわざ組み立てる必要がない」という点を満足し、かつ上記課題２の「ビニール袋等を用いずともそれ自体が略密封された状態で顧客に簡単に配布できる」という点も満足している。さらに、凹凸部分を極力排した単純な円筒形状であるので、上記課題３の「広告等が印刷可能な面的なスペースが充分に確保できる」という点も満足する。
【００２１】
本考案の解決手段１の考案によれば、正面視にて横幅が１１６ｍｍ〜１３６ｍｍの範囲内であり、正面視にて高さが１１３ｍｍ〜１３０ｍｍの範囲内であり、円形状の左側板と円形状の右側板の夫々中心に１５ｍｍ〜２９ｍｍの範囲内の直径の円孔を有し、該円孔の上端部分に５ｍｍ〜１２ｍｍの範囲内の長さの溝部が設けられているので、円筒形状の空間内にトイレットペーパーを収納した場合に、円孔の上端部分の溝部に紐を挿通し、この紐をトイレットペーパーの芯筒に挿通し、紐の両端を上部に引き上げて結び、この紐を壁面のフック等に繋着させることにより、トイレットペーパーの芯筒の内面の上端部が紐により支持されてトイレットペーパー全体が函の内面に接触することなく円筒形状の空間内に浮遊状態にて吊設される。これにより、上記課題５の「回転棒を含まない」構成にてトイレットペーパー全体を自在に回転させることが可能となり、木材や金属や硬質樹脂等による堅固な枢着構成は必要としなくなった。かつ、課題６の「ロール紙は、使用開始から使用終了に至るまで、函の内面に接触しない」という要請も満足でき、回転棒を要せず、しかも極めて衛生的なロール紙用函が実現されることとなった。
【００２２】
本考案の解決手段２の考案によれば、トイレットペーパーの繰出し口が、円筒形状の本体の外周の６分の１から４分の１の外周方向の延長を有し、該繰出し口がミシン目によって２部分以上に分割されて開口される構成であるので、上記課題４で要請されている、トイレットペーパーの破断を防止するための構成上の配慮が実現されている。すなわち、本考案の解決手段２の考案のロール紙用函にトイレットペーパーを収納してトイレットペーパーの端部を下方に引き出した場合、トイレットペーパーはロール紙用函のいかなる部分にも接触することなく円滑に引き出されるので、不本意な箇所にて破断されるおそれがない。
【００２３】
また、同じく本考案の解決手段２の考案によれば、上記繰出し口を被覆していた本体の一部である開口片のうち少なくとも上部に位置する上部開口片が開口後も本体部分から完全に分離されることなく一端が本体に連接された状態で残留した状態であるので、トイレットペーパーをやや斜め方向に引き出した場合にても、トイレットペーパーが繰出し口の端部に接触せず、上部開口片と本体を連接する連接部分、すなわち折り部分に接触することになるから、この部分でトイレットペーパーが破断されるおそれがない。さらに、この連接部分にミシン目が入れられている場合にても、該ミシン目のピッチが１０ｍｍ〜２０ｍｍの範囲内のごく荒いものであるので、このミシン目に引っ掛かってトイレットペーパーが破断される可能性は最小限度に抑えられている。
【００２４】
本考案の解決手段３の考案によれば、正面視にて横幅が１９６ｍｍ〜３００ｍｍの範囲内であり、正面視にて高さが１１８ｍｍ〜１６０ｍｍの範囲内であり、円形状の左側板と円形状の右側板の夫々中心に１５ｍｍ〜２９ｍｍの範囲内の直径の円孔を有し、該円孔の上端部分に５ｍｍ〜１２ｍｍの範囲内の長さの溝部が設けられているので、円筒形状の空間内にキッチンペーパーを収納した場合に、円孔の上端部分の溝部に紐を挿通し、この紐をキッチンペーパーの芯筒に挿通し、紐の両端を上部に引き上げて結び、この紐を壁面のフック等に繋着させることにより、キッチンペーパーの芯筒の内面の上端部が紐により支持されてキッチンペーパー全体が函の内面に接触することなく円筒形状の空間内に浮遊状態にて吊設される。これにより、上記課題５の「回転棒を含まない」構成にてキッチンペーパー全体を自在に回転させることが可能となり、木材や金属や硬質樹脂等による堅固な枢着構成は必要としなくなった。かつ、課題６の「ロール紙は、使用開始から使用終了に至るまで、函の内面に接触しない」という要請も満足でき、回転棒を要せず、しかも極めて衛生的なロール紙用函が実現されることとなった。
【００２５】
本考案の解決手段４の考案によれば、キッチンペーパーの繰出し口が、円筒形状の本体の外周の６分の１から４分の１の外周方向の延長を有し、該繰出し口がミシン目によって２部分以上に分割されて開口される構成であるので、上記課題４で要請されている、トイレットペーパーの破断を防止するための構成上の配慮がキッチンペーパーにおいても実現されている。すなわち、本考案の解決手段４の考案のロール紙用函にキッチンペーパーを収納してキッチンペーパーの端部を下方に引き出した場合、キッチンペーパーはロール紙用函のいかなる部分にも接触することなく円滑に引き出されるので、不本意な箇所にて破断されるおそれがない。
【００２６】
また、同じく本考案の解決手段４の考案によれば、上記繰出し口を被覆していた本体の一部である開口片のうち少なくとも上部に位置する上部開口片が開口後も本体部分から完全に分離されることなく一端が本体に連接された状態で残留した状態であるので、キッチンペーパーをやや斜め方向に引き出した場合にても、キッチンペーパーが繰出し口の端部に接触せず、上部開口片と本体を連接する連接部分、すなわち折り部分に接触することになるから、この部分でキッチンペーパーが破断されるおそれがない。さらに、この連接部分にミシン目が入れられている場合にても、該ミシン目のピッチが１０ｍｍ〜２０ｍｍの範囲内のごく荒いものであるので、このミシン目に引っ掛かってキッチンペーパーが破断される可能性は最小限度に抑えられている。
【考案を実施するための最良の形態】
【００２７】
本考案を実施するための最良の形態を、以下に図面を参照しながら詳細に説明する。以下に示す実施例１は解決手段１あるいは解決手段２に記載の考案の１実施例であり、トイレットペーパーを収納するためのロール紙用函の１実施例である。さらに、実施例２は解決手段３あるいは解決手段４に記載の考案の１実施例であり、キッチンペーパーを収納するためのロール紙用函の１実施例である。
【実施例１】
【００２８】
図１は実施例１のロール紙用函１の使用状態を示す外観斜視図であり、図２ａは実施例１のロール紙用函１の正面図、図２ｂは図２ａのＡ−Ａ線断面図であり、図３ａは平面図、図３ｂは底面図、図４ａは右側面図、図４ｂは図４ａのＢ−Ｂ線断面図である。また、図４ｃは、図４ｂの要部拡大図である。
【００２９】
実施例１のロール紙用函１は、図１〜図４ｃに見るように、ロール状のトイレットペーパーＴＰを収納する厚紙製の函であって、正面視が長方形状の厚紙（図示せず）を縦方向に湾曲させ水平に平行する２辺を接合部Ｐ１にて接合して円筒形状となした本体２の両側面を厚紙製の円形状の左側板３及び厚紙製の円形状の右側板４にて閉塞して内部に円筒形状の空間Ｓ１を形成し、円筒形状の本体２の底面部分から正面部分にかけてミシン目Ｍ１〜Ｍ５が設けられ開口可能であるトイレットペーパーＴＰの繰出し口５を有している。
【００３０】
ロール紙用函１は、図２ａ、図２ｂに見るように、正面視にて横幅Ｗ１が１１６ｍｍ〜１３６ｍｍの範囲内であり、同じく正面視にて高さＨ１が１１３ｍｍ〜１３０ｍｍの範囲内であり、円形状の左側板３の中心に１５ｍｍ〜２０ｍｍの範囲内の直径Ｄ３１の円孔３１を有し、円孔３１の上端部分に５ｍｍ〜１２ｍｍの範囲内の長さＴ３２の溝部３２が設けられ、円形状の右側板４の中心に１５ｍｍ〜２０ｍｍの範囲内の直径Ｄ４１の円孔４１を有し（図４ａ参照）、円孔４１の上端部分に５〜１２ｍｍの範囲内の長さＴ４２の溝部４２が設けられている。なお、Ｄ３１＝Ｄ４１、且つＴ３２＝Ｔ４２とする。
【００３１】
ロール紙用函１の本体２の左右両端部は、図１、図２ｂ、図４ａ、図４ｂに見るように、内側に曲折されて、フリンジ２３（左側面側）、フリンジ２４（右側面側）となっている。フリンジ２３、２４の構成の詳細は、フリンジ２４を代表として図４ｃに示すとおりで、本体２の右側端部が曲折されてフリンジ２４となっており、その幅Ｄ２４は４〜５ｍｍ程度とされる。フリンジ２３の構成はフリンジ２４の構成と左右対称となるので、フリンジ２３の幅Ｄ２３もやはり４〜５ｍｍ程度とされる。フリンジ２３は左側板３が本体２の左側面から逸脱しないように左側板３を本体２の左側面に係止させる働きを有し、フリンジ２４は右側板４が本体２の右側面から逸脱しないように右側板４を本体２の右側面に係止させる働きを有する。
【００３２】
左側板３と右側板４は、少なくともどちらか一方が本体２に非固着の状態としておかなければならない。すなわち、後程説明するように、トイレットペーパーＴＰは本体２の左側面か右側面の少なくともどちらか一方を開放状態として、そこから本体２の内部の空間Ｓ１内に収納するものであるため、左側板３と右側板４のどちらかを非固着状態とせねばならないのである。実施例１のロール紙用函１にては、左側板３を本体２に接着により固着し、右側板４を非固着状態とするが、これは全く逆でも当然良い。左側板３を本体２に固着した場合には、フリンジ２３の逸脱防止作用は不必要となるが、本体２の端部の補強と共に手触りや外観の滑らかさ、あるいは対象性の確保という点から、フリンジ２３とフリンジ２４は左右対称に曲折されて構成されるものである。
【００３３】
本体２の内部に生じる空間Ｓ１にトイレットペーパーＴＰを収納した状態は、図１及び図６〜図８に示すとおりである。トイレットペーパーＴＰは、吊下紐Ｒによって、空間Ｓ１内に、本体２の内壁面にも左側板３、右側板４の内壁面にも接しない状態にて吊設される。すなわち、吊下紐ＲはトイレットペーパーＴＰの芯筒ＴＣに挿通され、吊下紐Ｒの下部Ｒ２が芯筒ＴＣの内面上端部に当接する状態となるが、吊下紐Ｒは、また、左側板３の溝部３２と右側板４の溝４２にも同時に挿通される。したがって、トイレットペーパーＴＰはその芯筒ＴＣが吊下紐Ｒにより吊設されることにより空間Ｓ１内に本体２の内壁面にも左側板３、右側板４の内壁面にも接しない状態にて吊設される。そして、その支点は、溝部３２の上端部が吊下紐Ｒに当接する点ｐ１及び溝部４２の上端部が吊下紐Ｒに当接する点ｐ２である。そして、点ｐ１、ｐ２はロール紙用函１全体が吊下紐Ｒにより吊設される際の支点ともなっている。
【００３４】
吊下紐Ｒがロール紙用函１全体を吊設する際の支点はもう２箇所存在しており、それは、吊下紐Ｒがフリンジ２３の上端部に当接する点ｐ３と吊下紐Ｒがフリンジ２４の上端部に当接する点ｐ４である。したがって、ロール紙用函１全体は、先の点ｐ１、ｐ２に加えて、この点ｐ３、ｐ４の４箇所によって、水平状態に吊設されている。なお、Ｒ１は吊下紐Ｒの結び目のある上端部分で、この上端部分Ｒ１が適宜フックＦ等の掛着用具に繋着されることにより、ロール紙用函１全体がフックＦに吊設されている。
【００３５】
本体２の横幅Ｗ１（図２ａ参照）は、トイレットペーパーＴＰの横幅ＷＴ（図６参照）により決定される。トイレットペーパーＴＰの横幅ＷＴ（ＪＩＳ規格にては「紙幅」と呼称）は、日本では、ＪＩＳ規格でもある１１４ｍｍのアメリカタイプが略標準となっているが、ＪＩＳ規格では、±２ｍｍの誤差が許容されているので、１１４ｍｍに２ｍｍをプラスした１１６ｍｍを横幅ＷＴの最大値とした。また、最小値については、１１４ｍｍのアメリカタイプについで１０５ｍｍのヨーロッパタイプのものが良く売られているが、これより幅が狭い１００ｍｍのものも市場に出ているので、この１００ｍｍを横幅ＷＴの最小値とした。したがって、トイレットペーパーＴＰの横幅ＷＴは、１００ｍｍ〜１１６ｍｍとした。
【００３６】
今、トイレットペーパーＴＰの左端と左側板３の距離をＤＴ３、トイレットペーパーＴＰの右端と右側板４の距離をＤＴ４とすると、図６に明らかなように、ロール紙用函１の横幅Ｗ１は、トイレットペーパーＴＰの幅ＷＴとフリンジ２３の幅Ｄ２３とフリンジ２４の幅Ｄ２４と距離ＤＴ３と距離ＤＴ４の総和に略等しくなる（左側板３と右側板４の紙厚は無視できるものとする）。
【００３７】
ここで、距離ＤＴ３、ＤＴ４の適性値は、４〜５ｍｍという極めて狭い範囲に入ることが、試作品を多数制作するうちに判明してきた。すなわち、距離ＤＴ３、ＤＴ４が４ｍｍを下回るとトイレットペーパーＴＰの左側面が左側板３に、右側面が右側板４に、夫々接近しすぎて場合によっては衝突するケースも見られ、トイレットペーパーＴＰの回転に支障が生ずる。また、距離ＤＴ３、ＤＴ４が５ｍｍを上回ると、今度はトイレットペーパーＴＰが空間Ｓ１内にて安定せず、やはり円滑な回転に支障が出る。
【００３８】
したがって、距離ＤＴ３、ＤＴ４の適性値は、４〜５ｍｍという極めて狭い範囲となる。したがって、本体２の横幅Ｗ１は、幅Ｄ２３、Ｄ２４、距離ＤＴ３、ＤＴ４の合計値の１６〜２０ｍｍに、トイレットペーパーＴＰの幅ＷＴを足した値となる。したがって、ここから、本体２の横幅Ｗ１は１１６ｍｍ〜１３６ｍｍの範囲内の数値が適切という結果が導かれる。ちなみに、実施例１のロール紙用函１においては、幅ＷＴが１１４ｍｍというごく標準的なトイレットペーパーＴＰを用いるという想定で、幅Ｄ２３、Ｄ２４、距離ＤＴ３、ＤＴ４を夫々５ｍｍとしているので、本体２の横幅Ｗ１は、１３４ｍｍとなる。
【００３９】
次に、本体２の高さＨ１（図２ａ参照）は、トイレットペーパーＴＰの高さＨＴ（図７参照）により決定される。ＪＩＳ規格にては、トイレットペーパーＴＰの高さＨＴ（ＪＩＳ規格にては「巻取りの径」と呼称、一般的には「ロール径」と呼称）は１２０ｍｍ以下とされているので、高さＨＴの最大値は１２０ｍｍとするのが適切である。一方、最小値は、ＪＩＳ規格にては定められていないが、市販のものを調べてみると、調査範囲の中で最も小の値は１０５ｍｍであったので、これを最小値とした。ちなみに、一般に市場に出ているトイレットペーパーの高さ（ロール径）は１０８ｍｍ〜１１３ｍｍ程度であり、１１０ｍｍ前後のものが圧倒的に多いが、中にはＪＩＳ規格の上限値に近い１１８ｍｍというものもあった。以上より、トイレットペーパーＴＰの高さＨＴは１０５ｍｍ〜１２０ｍｍとした。
【００４０】
今、図７に見るように、トイレットペーパーＴＰの上端部からロール紙用函１の本体２の上端部までの距離をＤＴ１、トイレットペーパーＴＰの下端部からロール紙用函１の本体２の下端部までの距離をＤＴ２とすると（紙厚は無視する）、ロール紙用函１の本体２の高さＨ１は、トイレットペーパーＴＰの高さＨＴに距離ＤＴ１、ＤＴ２を加えたものとなる。ここで、やはり数多くの試作品を作って実験した結果、距離ＤＴ１、ＤＴ２は共に４〜５ｍｍ程度が適切で、しかも距離ＤＴ１、ＤＴ２は等しいことが望ましいという結論となった。つまり、４ｍｍを越えて距離ＤＴ１、ＤＴ２が小となると、トイレットペーパーＴＰの形状の歪みや使用の際の引っ張り方によってはトイレットペーパーＴＰの周辺部分がロール紙用函１の本体２の内壁に接触して回転に支障が起こったり、また衛生面の問題も生じるということである。なお、距離ＤＴ１、ＤＴ２の最大値は、理論的にはいくら大でも良いが、ノベリティ用品としての性格や、材質が厚紙製で強度的に余り丈夫ではないことや材料費や工賃の節約を考えると全体をできるだけコンパクトに構成したいので、最小値の４ｍｍをやや上回る５ｍｍとした。      
【００４１】
以上から、ロール紙用函１の本体２の高さＨ１の最小値は、トイレットペーパーＴＰの高さＨＴの最小値１０５ｍｍに距離ＤＴ１、ＤＴ２の夫々最小値の４ｍｍずつを加算した１１３ｍｍとなる。また、ロール紙用函１の本体２の高さＨ１の最大値は、トイレットペーパーＴＰの高さＨＴの最大値１２０ｍｍに距離ＤＴ１、ＤＴ２の夫々最大値の５ｍｍずつを加算した１３０ｍｍとなる。したがって、ロール紙用函１の本体２の高さＨ１の数値限定範囲は、１１３〜１３０ｍｍとなる。ちなみに、実施例１のロール紙用函１においては、高さ（ロール径）ＨＴが１０８ｍｍというごく標準的なトイレットペーパーＴＰを用いるという想定で、距離ＤＴ１、距離ＤＴ２を夫々４ｍｍとしているので、本体２の高さＨ１は、紙厚を無視した場合、１１６ｍｍとなる。
【００４２】
また、左側板３の円孔３１の直径Ｄ３１、溝部３２の長さＴ３２、右側板４の円孔４１の直径Ｄ４１、溝部４２の長さＴ４２に関する数値限定は次のとおりである。すなわち、図６、図７に見るように、吊下紐Ｒの下部Ｒ２の左端が溝部３２の最上端の点ｐ１に支持され、下部Ｒ２の右端が溝部４２の最上端の点ｐ２に支持され、下部Ｒ２が、トイレットペーパーＴＰの芯筒ＴＣの内面上端部に当接した状態で、距離ＤＴ１と距離ＤＴ２が等しくなるようにするためには、円孔３１、３２の中心、すなわちロール紙用函の円筒形状の本体２の中心２ＣがトイレットペーパーＴＰの芯筒ＴＣの中心ＴＣＣと重なる必要がある。そして、そのためには、図７から明らかなように、円孔３１の直径Ｄ３１に溝部３２の長さＴ３２の２倍を加えた値Ｅ１がトイレットペーパーＴＰの芯筒ＴＣの内径Ｃ１に等しくならねばならない。あるいは、円孔４２の直径Ｄ４１に溝部４２の長さＴ４２の２倍を加えた値Ｅ２がトイレットペーパーＴＰの芯筒ＴＣの内径Ｃ１に等しくならねばならない。
【００４３】
すなわち、直径Ｄ３１、Ｄ４１、長さＴ３２、Ｔ４２の数値限定の根拠はトイレットペーパーＴＰの芯筒ＴＣの内径Ｃ１に求められる。しかるに、芯筒ＴＣの内径Ｃ１はやはりＪＩＳ規格に定められていて、３８ｍｍ±１ｍｍ、すなわち、３７ｍｍ〜３９ｍｍの範囲内となる。したがって、上記値Ｅ１、Ｅ２がこの範囲内になるような構成とせねばならない。
【００４４】
値Ｅ１、Ｅ２が３７ｍｍ〜３９ｍｍの範囲内であれば、直径Ｄ３１、Ｄ４１と長さＴ３２、Ｔ４２の比は理論的には自由となるが、吊下紐Ｒの挿通のしやすさを考えると、円孔３１、４１の直径Ｄ３１、Ｄ４１は、少なくとも１５ｍｍ以上はほしい。しかるに、溝部３１、３２の長さＴ３２、Ｔ４２が余りに短くなると溝部３１、３２内で吊下紐Ｒが不安定となるので、溝部３２、４２の長さＴ３２、Ｔ４２は、最小限でも５ｍｍ以上はほしい。ここから、円孔３１、４１の直径Ｄ３１、Ｄ４１の数値限定範囲は１５ｍｍ〜２９ｍｍ、溝部３２、４２の長さＴ３２、Ｔ４２の数値限定範囲は５ｍｍ〜１２ｍｍとなる。なお、Ｄ３１＝Ｄ４１、Ｔ３２＝Ｔ４２である。
【００４５】
次に、トイレットペーパーＴＰの繰出し口５の構成について詳述する。繰出し口５は、図１、図２ａ、図２ｂ、図３ｂ、図７に見るように、本体２の底面部分から正面部分にかけて、ミシン目Ｍ１〜Ｍ５により開口可能に設けられている。繰出し口５は、円筒形状の本体２の外周の６分の１から４分の１の外周方向の延長を有し、ミシン目Ｍ１〜Ｍ５によって上部開口片５１、下部開口片５２の２部分に分割されて開口される構成で、上部開口片５１、下部開口片５２共に開口後も一端が本体２の表面に連接された状態で残留するように構成されている。なお、上部開口片５１と下部開口片５２の中間の左右両端に形成される三角片５３、５４、及び下部開口片５２の上端部中央に形成される半月片５５は、繰出し口５の開口後は廃棄され、半月片５５の廃棄跡は半円形凹部である指掛孔５５ａとなる。
【００４６】
繰出し口５の本体２の外周方向への延長の数値限定、すなわち、円筒形状の本体２の外周の６分の１から４分の１の外周方向の延長という数値限定の根拠を、図２ｂと図７により説明する。図２ｂおよび図７のロール紙用函１の繰出し口５は、本体２の中心を中心として、角度α１をもって設けられている（図２ｂ参照）。また、上部開口片５１は本体２の中心を中心として、角度β１をもって設けられ、下部開口片５２は本体２の中心を中心として、角度β２をもって設けられている。なお、当然のことながら、角度α１は角度β１と角度β２の和となっている。ここで、繰出し口５の本体２の外周方向への延長の数値限定、すなわち、円筒形状の本体２の外周の６分の１から４分の１の外周方向の延長という数値限定を、本体２の中心を中心とする角度で表現すれば、繰出し口５の角度α１は、６０°〜９０°ということになる。すなわち、繰出し口５の角度α１の最小値は６０°で最大値は９０°ということになる。
【００４７】
ここで、上記の６０°〜９０°という数値限定の根拠は、以下のとおりである。すなわち、繰出し口５の角度α１が６０°となった場合、図７に明らかなように、トイレットペーパーＴＰの引き出し片ＴＰ１が繰出し口５の上端部、すなわち、繰出し口５の上部開口片５１を本体と連結しているミシン目Ｍ２と接触してしまうことになる。ミシン目Ｍ２は、トイレットペーパーＴＰの引き出し片ＴＰ１と接触した場合にても、引き出し片ＴＰ１をできるだけ破断させないように、ピッチが１０〜２０ｍｍの範囲内のごく荒いもの（実施例１にては１５ｍｍ）としているので、引き出し片ＴＰ１を垂直下方に引いた場合に、その表面がミシン目Ｍ２とぎりぎりで接触する程度では破断されない。しかし、繰出し口５の角度α１が６０°を下回ると、引き出し片ＴＰ１がミシン目Ｍ２にて一度屈曲されるかたちで下方に引き出されることになるので、柔らかい素材からなる引き出し片ＴＰ１はミシン目Ｍ２にて破断されてしまうこととなる。したがって、繰出し口５の角度α１の最小値は６０°を下回ることができない。
【００４８】
これに対し、繰出し口５の角度α１の最大値の数値限定は、最小値のように明確な限界を持っていないが、繰出し口５の角度α１の最大値を９０°としたのは、本体２の強度及び衛生上の問題からである。すなわち、本体２の強度の問題からいえば、繰出し口５の角度α１は小であれば小であるほど良い。また、繰出し口５から外部の埃が侵入することを考えても、角度α１は小であれば小であるほど望ましい。したがって、その一つの基準として、角度α１が直角、すなわち９０°という数値を最大値として選んだ。角度α１の最大値を９０°としたのは、主として埃の侵入という観点からで、角度α１が９０°を越えると、繰出し口５が下方と前方に加えて上方にも開かれることとなり、無論上部開口片５１という庇の役割をする部材はあるものの、埃の侵入が多くなるものと予想されるという理由によるものである。
【００４９】
つぎに、繰出し口５におけるミシン目Ｍ１〜Ｍ５について説明する。繰出し口５は、本体２の一部であり、本体２に設けられたミシン目Ｍ１〜Ｍ５により開口される。図１、図２ａ、図３ｂ、図４ｂ、図６、図８に見るように、ミシン目Ｍ１は上部開口片５１と下部開口片５２の境界をなすように設けられており、そのピッチは、１．５〜３ｍｍ程度のごく細かいもの（実施例１にてはピッチ２ｍｍ）で、ミシン目Ｍ１はこの箇所にての切断を目的として設けられたものである。なお、ミシン目Ｍ１は左右両端の夫々において、上方向と下方向に向けて円弧状に屈折されたミシン目Ｍ１ａ、Ｍ１ｂ、Ｍ１ｃ、Ｍ１ｄをなすが、この部分は円弧状のため、そのピッチは荒くなっている。ただ、ミシン目Ｍ１ａ、Ｍ１ｂ、Ｍ１ｃ、Ｍ１ｄは切断用のミシン目であるため、ピッチは荒くても穿設部分が長く構成されている。
【００５０】
次に、ミシン目Ｍ２は、上部開口片５１と本体２の連結部分に設けられるミシン目で、切断線ではなく、上部開口片５１を本体２に連接する折線として設けられるものであるため、そのピッチは１０ｍｍ〜２０ｍｍとごく荒いものとされている。なお、ミシン目Ｍ２のピッチが荒いものとされているもう一つの理由は、既に述べたように、ミシン目Ｍ２のピッチが細かくなればなるほど、トイレットペーパーＴＰの引き出し片ＴＰ１が接触した際に引き出し片ＴＰ１が破断される可能性が高くなるからで、ミシン目Ｍ２のピッチが１０ｍｍ〜２０ｍｍのピッチであれば、引き出し片ＴＰ１が多少接触したとしても破断されることなく円滑に引き出し片ＴＰ１を引き出し得ることが、実験にて確認されている。
【００５１】
ミシン目Ｍ３は、繰出し口５の左端を画する境界線であり、左側板３のごく近傍に、本体２の周方向に設けられる。そのピッチは４〜６ｍｍと、ミシン目Ｍ１とミシン目Ｍ２の中間の値とされる。また、ミシン目Ｍ４は、繰出し口５の右端を画する境界線であり、右側板４のごく近傍に、本体２の周方向に設けられ、そのピッチはミシン目Ｍ３と同様４〜６ｍｍとされる。ミシン目Ｍ３、Ｍ４は共に切断線として設けられるミシン目であるが、そのピッチがミシン目Ｍ１より荒いものとされている理由は、図６に見るように、トイレットペーパーＴＰの引き出し片ＴＰ１の左辺がミシン目Ｍ３のごく近傍を、また、引き出し片ＴＰ１の右辺がミシン目Ｍ４のごく近傍を通過するものであるため、ミシン目Ｍ３、Ｍ４のピッチがミシン目Ｍ１のように細かいと、引き出し片ＴＰ１がミシン目Ｍ３、Ｍ４に万一接触した場合に、そこで引っ掛かって破断される可能性が高くなるからである。なお、繰出し口５の横幅Ｄ５（図３ｂ参照）は、実験から、トイレットペーパーＴＰの幅ＷＴに３〜５ｍｍ程度を加えた値で充分であることが明らかとなっている。
【００５２】
ミシン目Ｍ５は、ミシン目Ｍ１の中央下方に設けられた直径２０ｍｍ前後の半円弧状のミシン目で、半円弧状であるためピッチは荒いが、穿設部分が長い切断用のミシン目として構成されている。また、下部開口片５２の本体２との連接部分にはミシン目が設けられず、単なる折線Ｌ１とされている。この部分にミシン目が設けられていない理由は、実施例１のロール紙用函１においては、図１に見るように折線Ｌ１のすぐ背後が本体２の接合部Ｐ１となっているので、下部開口片５２は接合部Ｐ１を支点がわりとして、折線Ｌ１で簡単に折り下げられるように構成されているからである。なお、下部開口片５２は、繰出し口５の開口後は、構成上は不要な部材となるので、折線Ｌ１を切断用のミシン目として本体２から分離除去することも無論可能であるが、ロール紙用函１は、ノベリティ用途を主体とするものである点から、広告の印刷スペースや組立ての説明文や図を入れるスペースとして貴重であるため、折線Ｌ１をもって本体２に連接残留させる構成としたものである。
【００５３】
次に、実施例１のロール紙用函１の作用に関して、図面を参照しながら詳細に説明する。実施例１のロール紙用函１は、ノベリティとして当初配布される際の形態は、図２ａ〜図４ｂに示すような円筒形状で、図２ａ〜図４ｂには示していないが、通常、本体２、あるいは左側板３、右側板４の表面には配布元の広告や使用方法を説明する文章、イラストレーション等が印刷されている。繰出し口５は未開封で、左側板３あるいは右側板４のどちらかは本体２に固定された状態とされる。したがって、ロール紙用函１においては、左側板の円孔３１、溝部３２、右側板の円孔４１、溝部４２が僅かに開口されているだけで、内部の空間Ｓ１は略密閉状態である。なお、ロール紙用函１の内部には既にトイレットペーパーＴＰが収納されていても良いし、未収納でも良い。また、吊下紐Ｒは、ロール紙用函１内に収納された形で配布されても良いし、既に円孔３１、４１に挿通された形で配布されても良いし、あるいはロール紙用函１と分離され、ロール紙用函１とセットとして配布されるということでも良い。
【００５４】
図５ａに示すロール紙用函１は、内部にトイレットペーパーＴＰを収納しない状態で配布されたものとする。配布された状態では、繰出し口５が未開封の円筒形状である。ロール紙用函１を受け取った人（両手のみ図示）は、ロール紙用函１を両手で支え、半円状の半月片５５に左手の親指Ｌｔ（右手の親指Ｒｔでも可）を当ててそのまま親指Ｌｔを押し込む（ａ方向）。すると、ミシン目Ｍ１の半月片５５を構成する部分とミシン目Ｍ５が破断されて、半月片５５は本体２から分離される。半月片５５が分離された跡は指掛孔５５ａとなるので、ここに右手の親指Ｒｔを掛け、下部開口片５２全体を図５ｂのｂ方向に引き出せば、ミシン目Ｍ１、Ｍ３、Ｍ４、Ｍ１ｂ、Ｍ１ｄが破断され、下部開口片５２は折線Ｌ１のみにて本体２に連接された状態で、繰出し口５の大部分が開口される。次に、上部開口片５１のミシン目Ｍ１の略中央部分に左手の親指Ｌｔ（図５ａ）を掛けて図５ｂのｃ方向に上部開口片５１を引き出せば、ミシン目Ｍ３、Ｍ４、Ｍ１ａ、Ｍ１ｃが破断され、上部開口片５１はミシン目Ｍ２で曲折され本体２に連接された状態で、繰出し口５の残部が開口される。
【００５５】
このようにして、繰出し口５はすべて開口される。なお、繰出し口５の開口に伴い本体２から分離された半月片５５、三角片５３、５４は適宜廃棄すれば良い。なお、三角片５３、５４が本体２から分離されることにより、上部開口片５１の自由端の左右両端と下部開口片５２の自由端の左右両端は円弧状となるが、これにより、トイレットペーパーＴＰの引き出し片ＴＰ１が上部開口片５１あるいは下部開口片５２に引っ掛かって破断される可能性はさらに低くなるものである。
【００５６】
繰出し口５が開口されれば、次に、左側板３か右側板４のどちらか固定されていない方を取り外して、ロール紙用函１の内部に構成されている円筒形状の空間Ｓ１内にトイレットペーパーＴＰを収納し、取り外した左側板３あるいは右側板４を再びロール紙用函１の左側面あるいは右側面に嵌め込む。この際、左側板３も右側板４も厚紙製であるので、若干湾曲させることにより簡単にフリンジ２３、あるいはフリンジ２４を越えて取り外せるし、また元の位置に戻すことができるものである。
【００５７】
このようにしてトイレットペーパーＴＰをロール紙用函１内に収納し終われば、次に、吊下紐Ｒを挿通する。吊下紐Ｒは、図１、図６〜図８に示すように、左側板３の溝部３２からトイレットペーパーＴＰの芯筒ＴＣ内部を通って右側板４の溝部４２にかけて挿通される。このように吊下紐Ｒの挿通が終われば、吊下紐Ｒの上端部分Ｒ１を締結して、上端部分Ｒ１を壁面のフックＦ等の適切な掛止手段に掛止させる。これにより、ロール紙用函１全体は、フックＦ等の掛止手段から吊下紐Ｒによって吊設されることとなる。
【００５８】
また、この状態で、図１、図６〜図８に示すように、トイレットペーパーＴＰの芯筒ＴＣの内面上端が溝部３２の上端及び溝部４２の上端と同位置にくるが、既に述べたように円孔３１の直径に溝部３２の長さＴ３２の２倍を加えるとトイレットペーパーＴＰの芯筒ＴＣの内径Ｃ１に等しく、また、円孔４１の直径に溝部４２の長さＴ４２の２倍を加えてもトイレットペーパーＴＰの芯筒ＴＣの内径Ｃ１に等しくなるように構成されている（図７参照）結果として、ロール紙用函１の円筒形状の本体２の中心２ＣとトイレットペーパーＴＰの芯筒ＴＣの中心ＴＣＣが重なり、トイレットペーパーＴＰは、本体２の内壁面のいずれの部分とも等しい距離ＤＴ１あるいはＤＴ２（図７参照）を保持しつつロール紙用函１の内部の空間Ｓ１に吊設された状態となる。
【００５９】
この状態で、トイレットペーパーＴＰの表面から引き出し片ＴＰ１を剥離して繰出し口５を通過させて垂直下方に引き出す。この際、引き出し片ＴＰ１を下方に引き出す力がかかると、トイレットペーパーＴＰは図７にて反時計回りに回転運動を行うが、この回転運動において、常に芯筒ＴＣの内面の上端部に吊下紐Ｒが位置する状態が保持される。すなわち、吊下紐Ｒは溝部３２、４２の上端部分の点ｐ１、ｐ２（図６参照）にて位置決めをされているので吊下紐Ｒがずれるということはなく、トイレットペーパーＴＰはいわば吊下紐Ｒの下部Ｒ２を枢軸がわりとして、円滑な回転運動を行い、これに伴い引き出し片ＴＰ１は下方に引き出されていく。
【００６０】
この際、左側板３あるいは右側板４のうち、固定されていない方がトイレットペーパーＴＰの回転運動に引きずられて移動する可能性も考えられるが、実験では、左側板３あるいは右側板４のいずれか片方を固定しておけば、もう一方が未固定でも些かの移動も起こらなかった。すなわち、未固定の左側板３あるいは右側板４も、その外周にて本体２の内面に接していて、その部分にて一定の摩擦力を持ち、さらに吊下紐Ｒの引張力にて溝部３２あるいは４２が円孔３１あるいは４１の上端部に位置するように固定されるので、それらの作用のみで充分にその位置を保つものであることが明らかとなった。したがって、トイレットペーパーＴＰは、吊下紐Ｒの下部Ｒ２をあたかも剛性のある芯材のようにこれを枢軸として用いて円滑な回転運動を行うものである。
【００６１】
また、繰出し口５のサイズが、本体２の外周の６分の１から４分の１の外周方向の延長を有するように構成されているため、図７に見るように引き出し片ＴＰ１が上部開口片５１にも、下部開口片５２にも、さらに繰出し口５のいずれの部分にも接触することなく円滑な引き出し作用が保証される。引き出し片ＴＰ１を引き出す方向が垂直下方から僅かに狂って引き出し片ＴＰ１の表面が上部開口片５１のミシン目Ｍ２に接触したとしても、ミシン目Ｍ２はそのピッチが１０ｍｍ〜２０ｍｍとごく荒いものとされているため、引き出し片ＴＰ１がミシン目Ｍ２に引っ掛かって破断される可能性は低く、円滑な引き出しが保証される。
【００６２】
このようにして、希望の延長分だけ引き出し片ＴＰ１を引き出せた段階で、引き出し片ＴＰ１の上部を把持して引き出し片ＴＰ１を垂直下方に強く引けば、引き出し片ＴＰ１は適切なミシン目ＭＴ（図１、図７参照）にて切断される。最近の市販のトイレットペーパーはその殆どが切断のためのミシン目入りであるため、ことさらにトイレットペーパー自体を切断するための構成は必要としない。したがって、ロール紙用函１にも、トイレットペーパーＴＰ自体を切断するための構成は設けていない。実験では、引き出し片ＴＰ１を垂直下方に強く引くだけで、略１００％の確率で、トイレットペーパーＴＰを希望するミシン目ＭＴにて切断することができた。
【００６３】
ロール紙用函１を上記のようなプロセスにて使用し、トイレットペーパーＴＰを使い切って芯筒ＴＣが残るだけの状態となれば、吊下紐Ｒの上端部分Ｒ１の締結を解いて吊下紐Ｒをロール紙用函１から抜き出し、左側板３あるいは右側板４を外して芯筒ＴＣを取り出す。その後、新たなトイレットペーパーＴＰをロール紙用函１の空間Ｓ１内に収容して既述のとおりに組立て構成を行えば、上記と全く同じ要領でロール紙用函１を用いることができる。このようにして、ロール紙用函１は繰り返し使用できる。また、万一使用中にロール紙用函１の本体２内面に埃が溜まった状態となっても、トイレットペーパーＴＰの表面がロール紙用函１の本体２内面に接触しないので、常に衛生的な状態にてその使用を継続できるものである。
【実施例２】
【００６４】
図９は実施例２のロール紙用函６の正面図、図１０ａは図９のＣ−Ｃ線断面図であり、図１０ｂは右側面図、図１１は使用状態を示す一部を省略した正面図、図１２は使用状態を示す一部を切欠した右側面図である。
【００６５】
実施例２のロール紙用函６は、図９〜図１２に見るように、ロール状のキッチンペーパーＫＰ（図１１、図１２参照）を収納する厚紙製の函であって、正面視が長方形状の厚紙（図示せず）を縦方向に湾曲させ水平に平行する２辺を接合部Ｐ２にて接合して円筒形状となした本体７の両側面を厚紙製の円形状の左側板８及び厚紙製の円形状の右側板９にて閉塞して内部に円筒形状の空間Ｓ２を形成し、円筒形状の本体７の底面部分から正面部分にかけてミシン目Ｍ６〜Ｍ１０が設けられ開口可能であるキッチンペーパーＫＰの繰出し口１０を有している。なお、１１は上部開口片、１２は下部開口片である。
【００６６】
ロール紙用函６は、図９〜図１２に見るように、正面視にて横幅Ｗ２が１９６ｍｍ〜３００ｍｍの範囲内であり、同じく正面視にて高さＨ２が１１８ｍｍ〜１６０ｍｍの範囲内であり、円形状の左側板８の中心に１５ｍｍ〜２９ｍｍの範囲内の直径Ｄ８１の円孔８１を有し、円孔８１の上端部分に５〜１２ｍｍの範囲内の長さＴ８２の溝部８２が設けられ、円形状の右側板９の中心に１５ｍｍ〜２９ｍｍの範囲内の直径Ｄ９１の円孔９１を有し、円孔９１の上端部分に５〜１２ｍｍの範囲内の長さＴ９２の溝部９２が設けられている。なお、Ｄ８１＝Ｄ９１、且つＴ８２＝Ｔ９２とする。
【００６７】
ロール紙用函６の本体７の左右両端部は、内側に曲折されて、フリンジ７３（左側面側）、フリンジ７４（右側面側）となっている。フリンジ７３、７４の構成の詳細は、実施例１のロール紙用函１のフリンジ２３、２４と略同様であり、その幅Ｄ７３、Ｄ７４（図１１参照）も実施例１のロール紙用函１のフリンジ２３、２４の幅Ｄ２３、Ｄ２４と同様４〜５ｍｍ程度とされる。また、フリンジ７３は左側板８が本体７の左側面から逸脱しないように左側板８を本体７の左側面に係止させる働きを有し、フリンジ７４は右側板９が本体７の右側面から逸脱しないように右側板９を本体７の右側面に係止させる働きを有する。
【００６８】
左側板８と右側板９は、実施例１のロール紙用函１と同様に、少なくともどちらか一方が本体７に非固着の状態としておかなければならない。実施例２のロール紙用函６にては、左側板８を本体７に接着により固着し、右側板９を非固着状態とするが、これは全く逆でも当然良い。
【００６９】
本体７の内部に生じる空間Ｓ２にキッチンペーパーＫＰを収納した状態は、図１１、図１２に示すとおりである。キッチンペーパーＫＰは、吊下紐Ｒによって、空間Ｓ２内に、本体７の内壁面にも左側板８、右側板９の内壁面にも接しない状態にて吊設される。すなわち、吊下紐ＲはキッチンペーパーＫＰの芯筒ＫＣに挿通され、吊下紐Ｒの下部Ｒ２が芯筒ＫＣの内面上端部に当接する状態となる。吊下紐Ｒは、また、左側板８の溝部８２と右側板９の溝部９２にも同時に挿通されるが、この点は実施例１のロール紙用函１と全く同様であるので詳述は控える。なお、Ｒ１は吊下紐６の結び目のある上端部分で、この上端部分Ｒ１が適宜フックＦ等の掛着用具に繋着されることにより、ロール紙用函６全体がフックＦに吊設されている（図１１参照）。
【００７０】
本体７の横幅Ｗ２（図９参照）は、キッチンペーパーＫＰの横幅ＷＫ（図１１参照）により決定される。キッチンペーパーＫＰの横幅ＷＫには、トイレットペーパーに見られるような詳細な規格は見出せなかったので、市場に販売されている各種のキッチンペーパーの横幅を調査したところ、１８０ｍｍ、２２０ｍｍ、２３０ｍｍ、２４０ｍｍ、２５０ｍｍ、２６５ｍｍ、２８０ｍｍ（厳密には２７９ｍｍ）、３５５ｍｍ、３７５ｍｍという数値が見出された。しかしながら、３５５ｍｍと３７５ｍｍの２種は余りにも大で一般的でなく、また、ノベリティ用品としの用途を主体とするという本考案の課題からもかけ離れるので、最大値は、比較的良く用いられている２８０ｍｍとした。したがって、キッチンペーパーＫＰの横幅ＷＫは、１８０ｍｍ〜２８０ｍｍとした。
【００７１】
今、キッチンペーパーＫＰの左端と左側板８の距離をＤＫ３、キッチンペーパーＫＰの右端と右側板９の距離をＤＫ４とすると、図１１に明らかなように、ロール紙用函２の横幅Ｗ２は、キッチンペーパーＫＰの横幅ＷＫとフリンジ７３の幅Ｄ７３とフリンジ７４の幅Ｄ７４と距離ＤＫ３と距離ＤＫ４の総和に略等しくなる（左側板８と右側板９の紙厚は無視できるものとする）。ここで、距離ＤＫ３、ＤＫ４の適性値は、やはり実施例１の場合と同様４〜５ｍｍという極めて狭い範囲に入ることが、試作品を多数制作するうちに判明した。
【００７２】
したがって、本体７の横幅Ｗ２は、幅Ｄ７３、Ｄ７４、距離ＤＫ３、ＤＫ４の合計値の１６〜２０ｍｍに、キッチンペーパーＫＰの幅ＷＫを足した値となる。したがって、ここから、本体７の横幅Ｗ２は１９６ｍｍ〜３００ｍｍの範囲内の数値が適切という結果が導かれる。ちなみに、実施例２のロール紙用函２においては、幅ＷＫが２３０ｍｍというごく標準的なキッチンペーパーＫＰを用いるという想定で、幅Ｄ７３、Ｄ７４、距離ＤＫ３、ＤＫ４を夫々５ｍｍとしているので、本体７の横幅Ｗ２は、２５０ｍｍとなる。
【００７３】
次に、本体７の高さＨ２（図９参照）は、キッチンペーパーＫＰの高さＨＫにより決定される。高さＨＫに関する規格もやはり見出せなかったので、市場調査を行ったところ、調査した範囲内にては最小値が１１０ｍｍ、最大値が１５０ｍｍという結果となった。中でも、１１０ｍｍ〜１２０ｍｍの製品が多く、この数値範囲は、トイレットペーパーＴＰの高さＨＴの数値範囲と良く重なっている。ともかく、以上より、キッチンペーパーＴＫの高さＨＫは１１０ｍｍ〜１５０ｍｍとした。
【００７４】
今、図１２に見るように、キッチンペーパーＫＰの上端部からロール紙用函２の本体７の上端部までの距離をＤＫ１、キッチンペーパーＫＰの下端部からロール紙用函２の本体７の下端部までの距離をＤＫ２とすると（紙厚は無視する）、ロール紙用函２の本体７の高さＨ２は、キッチンペーパーＫＰの高さＨＫに距離ＤＫ１、ＤＫ２を加えたものとなる。ここで、やはり数多くの試作品を作って実験した結果、実施例１と同様、距離ＤＫ１、ＤＫ２は共に４〜５ｍｍ程度が適切で、しかも距離ＤＫ１、ＤＫ２は等しいことが望ましいという結論となった。
【００７５】
以上から、ロール紙用函６の本体７の高さＨ２の最小値は、キッチンペーパーＫＰの高さＨＫの最小値１１０ｍｍに距離ＤＫ１、ＤＫ２の夫々最小値の４ｍｍずつを加算した１１８ｍｍとなる。また、ロール紙用函２の本体７の高さＨ２の最大値は、キッチンペーパーＫＰの高さＨＫの最大値１５０ｍｍに距離ＤＫ１、ＤＫ２の夫々最大値の５ｍｍずつを加算した１６０ｍｍとなる。したがって、ロール紙用函２の本体７の高さＨ２の数値限定範囲は、１１８〜１６０ｍｍとなる。ちなみに、実施例１のロール紙用函１においては、高さ（ロール径）ＨＫが１０８ｍｍというごく標準的なトイレットペーパーＴＰと同様の高さＨＫのキッチンペーパーＫＰを用いるという想定で、距離ＤＫ１、ＤＫ２を夫々４ｍｍとしているので、本体７の高さＨ２は、紙厚を無視した場合、１１６ｍｍとなる。
【００７６】
また、左側板８の円孔８１の直径Ｄ８１、溝部８２の長さＴ８２、右側板９の円孔９１の直径Ｄ９１、溝部９２の長さＴ９２に関する数値限定の根拠も、実施例１同様、キッチンペーパーＫＰの芯筒ＫＣの内径Ｃ２に求められる。しかるに、芯筒ＫＣの内径Ｃ２（図１２参照）は、トイレットペーパーＴＰの芯筒ＴＣの内径Ｃ１と同様、３８ｍｍ±１ｍｍ、すなわち、３７ｍｍ〜３９ｍｍの範囲内のものが圧倒的に多い。したがって、実施例１と同様の理由で、円孔８１、９１の直径Ｄ８１、Ｄ９１の数値限定範囲は１５ｍｍ〜２９ｍｍ、溝部８２、９２の長さＴ８２、Ｔ９２の数値限定範囲は５ｍｍ〜１２ｍｍとなる。なお、Ｄ８１＝Ｄ９１、Ｔ８２＝Ｔ９２である。
【００７７】
次に、キッチンペーパーＫＰの繰出し口１０の構成についてであるが、繰出し口１０は、実施例１におけるトイレットペーパーＴＰの繰出し口５の構成を水平方向に延伸したものであるので、ミシン目Ｍ６〜Ｍ１０の詳細な説明は省略する。なお、ミシン目Ｍ７は、そのピッチが１０ｍｍ〜２０ｍｍとごく荒いものとされているが、その理由は、実施例１において、ミシン目Ｍ２のピッチが１０ｍｍ〜２０ｍｍとされている理由と同様である。また、折線Ｌ２（図１２参照）も、実施例１の折線Ｌ１と同様の構成である。さらに、繰出し口１０の本体７の外周方向への延長の数値限定、すなわち、円筒形状の本体７の外周の６分の１から４分の１の外周方向の延長という数値限定の根拠も実施例１と同様であるので、その説明は省略する。
【００７８】
次に、実施例２のロール紙用函２の作用に関しては、実施例１のロール紙用函１の作用と略同様であるので、その詳細な説明は省略する。
【産業上の利用可能性】
【００７９】
本考案のロール紙用函は、特にノベリティ用品の分野において、安価で簡単に製作でき、配布前のストックも楽であり、貰った人が簡単に組み立てられ、さらに広告の印刷スペースも広く、長く衛生的に使用可能な、画期的なロール紙用函を提供するものである。
【図面の簡単な説明】
【００８０】
【図１】本考案の実施例１のロール紙用函の使用状態を示す一部を切欠した外観斜視図である。
【図２】（ａ）本考案の実施例１のロール紙用函の正面図である。（ｂ）図２ａのＡ−Ａ線断面図である。
【図３】（ａ）本考案の実施例１のロール紙用函の平面図である。（ｂ）本考案の実施例１のロール紙用函の底面図である。
【図４】（ａ）本考案の実施例１のロール紙用函の右側面図である。    （ｂ）図４ａのＢ−Ｂ線断面図である。    （ｃ）図４ｂの要部の拡大図である。
【図５】（ａ）本考案の実施例１のロール紙用函の作用を説明する説明図である。    （ｂ）本考案の実施例１のロール紙用函の作用を説明する説明図である。
【図６】本考案の実施例１のロール紙用函の使用状態を示す一部を省略した正面図である。
【図７】本考案の実施例１のロール紙用函の使用状態を示す一部を切欠した右側面図である。
【図８】本考案の実施例１のロール紙用函の使用状態を示す底面背面側から見た外観斜視図である。
【図９】本考案の実施例２のロール紙用函の正面図である。
【図１０】（ａ）図９のＣ−Ｃ線断面図である。    （ｂ）本考案の実施例２のロール紙用函の右側面図である。
【図１１】本考案の実施例２のロール紙用函の使用状態を示す一部を省略した正面図である。
【図１２】本考案の実施例２のロール紙用函の使用状態を示す一部を切欠した右側面図である。
【符号の説明】
【００８１】
１      ロール紙用函
１０    繰出し口
１１    上部開口片
１２    下部開口片
２      本体
２３    フリンジ
２４    フリンジ
２Ｃ    中心
３      左側板
３１    円孔
３２    溝部
４      右側板
４１    円孔
４２    溝部
５      繰出し口
５１    上部開口片
５２    下部開口片
５３    三角片
５４    三角片
５５    半月片
５５ａ  指掛孔
６      ロール紙用函
７      本体
７３    フリンジ
７４    フリンジ
８      左側板
８１    円孔
８２    溝部
９      右側板
９１    円孔
９２    溝部
１０    繰出し口
Ｃ１    内径
Ｃ２    内径
Ｄ２３  幅
Ｄ２４  幅
Ｄ３１  直径
Ｄ４１  直径
Ｄ５    横幅
Ｄ７３  幅
Ｄ７４  幅
Ｄ８１  直径
Ｄ９１  直径
ＤＴ１  幅
ＤＴ２  幅
ＤＴ３  距離
ＤＴ４  距離
ＤＫ１  幅
ＤＫ２  幅
ＤＫ３  距離
ＤＫ４  距離
Ｅ１    値
Ｅ２    値
Ｆ      フック
Ｈ１    高さ
Ｈ２    高さ
ＨＴ    高さ
ＨＫ    高さ
ＫＣ    芯筒
ＫＰ    キッチンペーパー
Ｌ１    折線
Ｌ２    折線
Ｌｔ    親指
Ｍ１    ミシン目
Ｍ１ａ  ミシン目
Ｍ１ｂ  ミシン目
Ｍ１ｃ  ミシン目
Ｍ１ｄ  ミシン目
Ｍ２    ミシン目
Ｍ３    ミシン目
Ｍ４    ミシン目
Ｍ５    ミシン目
Ｍ６    ミシン目
Ｍ７    ミシン目
Ｍ８    ミシン目
Ｍ９    ミシン目
Ｍ１０  ミシン目
ＭＴ    ミシン目
Ｐ１    接合部
Ｐ２    接合部
Ｒ      吊下紐
Ｒ１    上端部分
Ｒ２    下部
Ｒｔ    親指
Ｓ１    空間
Ｓ２    空間
Ｔ３２  長さ
Ｔ４２  長さ
Ｔ８２  長さ
Ｔ９２  長さ
ＴＣ    芯筒
ＴＣＣ  中心
ＴＰ    トイレットペーパー
ＴＰ１  引き出し片
Ｗ１    横幅
Ｗ２    横幅
ＷＴ    横幅
ＷＫ    横幅
ａ      方向
ｂ      方向
ｃ      方向
ｐ１    点
ｐ２    点
ｐ３    点
ｐ４    点
α１    角度
β１    角度
β２    角度
【図１】
0003123158.tif 000003
【図２】
0003123158.tif 000004
【図３】
0003123158.tif 000005
【図４】
0003123158.tif 000006
【図５】
0003123158.tif 000007
【図６】
0003123158.tif 000008
【図７】
0003123158.tif 000009
【図８】
0003123158.tif 000010
【図９】
0003123158.tif 000011
【図１０】
0003123158.tif 000012
【図１１】
0003123158.tif 000013
【図１２】
0003123158.tif 000014